【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
目標基板を定める工業機器物品の検査に用いる目視検査装置であって、
二次元画像センサ、および前記二次元画像センサに前記目標基板の像を結像させる結像光学系と、
前記二次元画像センサへの入射光を表す画像信号を処理するための画像処理回路と、
前記画像処理回路の、少なくとも１つのコンポーネントを載せる少なくとも１つの処理回路基板と、
目標基板を照明する光源バンクと、
少なくとも１つの温度センサと、
前記二次元画像センサへの入射光に対応する画像表現を表示するためのディスプレイと、
前記少なくとも１つの処理回路基板、前記光源バンク、前記少なくとも１つの温度センサを封入し、上部に前記ディスプレイを配設した手持ちハウジングと、
前記光源バンクによって発生する光を伝達し、それによって前記光源バンクによって発生する前記光を前記目標基板に向けることができるようになされた、前記手持ちハウジングから延在する細長い検査チューブと、を備え、
前記少なくとも１つの温度センサで感知した温度に応じて、前記手持ちハウジングの内部を冷却するために少なくとも１つの冷却手続を開始することができるようになされた目視検査装置。
【請求項２】
ユーザの入力制御に応じて前記細長い検査チューブを動かすための関節モータアセンブリと、前記ディスプレイに背後から光を当てるための照明器とを含み、前記少なくとも１つの冷却手続は、エネルギー節約光源バンクドライバ信号を前記光源バンクへ与えること、エネルギー節約モータアセンブリドライバ信号を目視検査装置のモータアセンブリへ与えること、エネルギー節約照明器ドライバ信号を前記照明器へ与えることのうちの少なくとも１つを含むことを特徴とする請求項１記載の目視検査装置。
【請求項３】
ユーザの入力制御に応じて前記細長い検査チューブを動かすための関節モータアセンブリと、前記ディスプレイに背後から光を当てるための照明器とを含み、前記少なくとも１つの冷却手続は、エネルギー節約光源バンクドライバ信号を前記光源バンクへ与えること、エネルギー節約モータアセンブリドライバ信号を目視検査装置のモータアセンブリへ与えること、エネルギー節約照明器ドライバ信号を前記照明器へ与えることからなる群から選択される少なくとも２つの冷却手続を含んでおり、望ましくない温度を感知した後の第１の期間中、目視検査装置が前記少なくとも２つの冷却手続のうちの少なくとも１つをアクティブに維持し、前記高温を感知した後の第２の期間中、目視検査装置が前記少なくとも２つの冷却手続のうち、より多い数の手続をアクティブに維持するように、前記少なくとも２つの冷却手続が、前記手持ちハウジング内で前記望ましくない温度を感知した後に順々に実行されることを特徴とする請求項１記載の目視検査装置。
【請求項４】
ユーザの入力制御に応じて前記細長い検査チューブを動かすための関節モータアセンブリと、前記ディスプレイに背後から光を当てるための照明器とを含んでおり、前記少なくとも１つの冷却手続が、エネルギー節約光源バンクドライバ信号を前記光源バンクへ与えること、エネルギー節約モータアセンブリドライバ信号を前記目視検査装置のモータアセンブリへ与えること、エネルギー節約照明器ドライバ信号を前記照明器へ与えることからなる群から選択される少なくとも２つの冷却手続を含んでおり、目視検査装置がユーザインタフェースを含み、望ましくない温度を感知する場合でも、無効にするために選択した冷却手続が目視検査装置動作中に実行されないように、目視検査装置のユーザが、前記ユーザインタフェースを用いて、前記少なくとも２つの冷却手続のうちの少なくとも１つを無効にすることができるようになされたことを特徴とする請求項１記載の目視検査装置。
【請求項５】
前記手持ちハウジング内に配設した内部電源を内部に有しており、前記電源が前記手持ちハウジング内に同様に配設したバッテリ電源と通信し、前記少なくとも１つの冷却手続の開始後のある時間で前記少なくとも１つの冷却手続の成功を監視するようになされており、さらに前記監視に応じて（ａ）揮発性メモリの中に保持されているデータを前記手持ちハウジングの内部の不揮発性メモリの中に保存すること、（ｂ）データを外部コンピュータへ伝送すること、および（ｃ）前記電源を遮断することのうちの少なくとも１つによって特徴付けられるシャットダウン手続を実行することができることを特徴とする請求項１記載の目視検査装置。
【請求項６】
前記少なくとも１つの冷却手続が、エネルギー節約光源バンクドライバ信号を前記光源バンクへ与えることを含み、前記エネルギー節約光源バンクドライバ信号が、ベースライン光源バンクドライバ信号に比べてデューティサイクルが減少していることを特徴とする請求項１記載の目視検査装置。
【請求項７】
前記少なくとも１つの冷却手続は、エネルギー節約光源バンクドライバ信号を前記光源バンクへ与えることを含むことを特徴とする請求項１記載の目視検査装置。
【請求項８】
前記光源バンクは、前記少なくとも１つの処理回路基板から熱的に分離していることを特徴とする請求項１記載の目視検査装置。
【請求項９】
前記装置は、前記光源バンクが、前記装置の各処理回路コンポーネントから熱的に分離しているようになされたことを特徴とする請求項１記載の目視検査装置。
【請求項１０】
目標基板を定める機器物品を検査するための目視検査装置において、
少なくともディスプレイおよびキーボードを含み、手持ちハウジングによって画定されているハンドセット部と、
二次元画像センサ、および前記二次元画像センサに前記目標基板の像を結像させる関連した光学系と、
前記目標基板を照明する光源バンクと、
前記二次元画像センサへの入射光を表す画像データを処理するための画像処理回路を含む処理回路であって、前記光源バンクおよび前記処理回路の両方が、前記手持ちハウジング内に配設され、目視検査装置が前記二次元画像センサへの入射光を表す画像データを前記ディスプレイ上に表示することができるようになされた処理回路と、
前記ハンドセット部から延在し、前記光源バンクが発生する前記目標基板を照明するための光を伝達するようになされた細長い検査チューブと、を備え、
前記光源バンクおよび前記処理回路のコンポーネントが熱的に分離した状態で維持されるようになされており、前記光源バンクと前記処理回路の前記コンポーネントとの間で材料部材の熱伝導性経路が目視検査装置になく、
前記光源バンクの温度を感知するための第１の熱センサと、
前記処理回路の温度を感知するための第２の熱センサとをさらに備え、
前記第１の熱センサおよび前記第２の熱センサのうちの少なくとも１つの出力を示す感知温度に応じて、少なくとも１つの冷却手続を開始するようになされた、目視検査装置。
【請求項１１】
（ａ）第１の閾値を超える前記第１の熱センサの出力を示す前記温度、および（ｂ）第２の閾値を超える前記第２の熱センサの出力を示す前記温度のそれぞれに応じて前記少なくとも１つの冷却手続を開始するようになされており、前記第１の閾値が、前記第２の閾値とは異なっていることを特徴とする請求項１０記載の目視検査装置。
【請求項１２】
ユーザの入力制御に応じて前記細長い検査チューブを動かすための関節モータアセンブリを含んでおり、前記少なくとも１つの冷却手続は、（ａ）エネルギー節約光源バンクドライバ信号を前記光源バンクへ与えること、（ｂ）エネルギー節約モータアセンブリドライバ信号を目視検査装置のモータアセンブリへ与えること、および（ｃ）エネルギー節約照明器ドライバ信号を前記照明器へ与えることからなる群から選択される少なくとも２つの冷却手続を含んでおり、前記冷却手続のうちの前記少なくとも２つを目視検査装置が同時にアクティブに維持することができるようにさらになされることを特徴とする請求項１０記載の目視検査装置。
【請求項１３】
（ａ）第１の閾値を超える前記第１の熱センサの出力を示す前記温度、および（ｂ）第２の閾値を超える前記第２の熱センサの出力を示す前記温度のそれぞれに応じて前記少なくとも１つの冷却手続を開始するようになされており、前記第１の閾値が前記第２の閾値とは異なっており、光源バンク回路基板、および処理回路基板をさらに備えており、前記光源バンクが、前記光源バンク回路基板に搭載され、前記処理回路の、１つまたは複数のコンポーネントが、前記処理回路基板に搭載され、前記第１の熱センサが、前記光源バンクの温度を感知するために前記光源バンク回路基板に配設した熱電対であり、前記第２の熱センサが、前記処理回路の前記、１つまたは複数のコンポーネントの温度を感知するために前記処理回路基板に配設した熱電対であることを特徴とする請求項１０記載の目視検査装置。
【請求項１４】
目標基板を定める機器物品の検査に用いる目視検査装置において、
少なくともディスプレイおよびキーボードを含み、検査者が把持することになる手持ちハウジングによって画定されているハンドセット部と、
二次元画像センサ、および前記二次元画像センサに前記目標基板の像を結像させる関連した光学系であって、前記二次元画像センサへの入射光を表す画像データを目視検査装置が前記ディスプレイ上に表示することができるようになされた二次元画像センサおよび関連した光学系と、
前記目標基板を照明する光源バンクと、
前記光源バンクから熱を取り除くための熱伝導性ヒートシンク部材の第１のセットと、
前記二次元画像センサへの入射光を表す画像データを処理する画像処理回路であって、前記光源バンクおよび前記画像処理回路が、前記手持ちハウジング内に配設された画像処理回路と、
前記ハンドセット部から延在し、前記光源バンクが発生する前記目標基板を照明するための光を伝達するようになされた細長い検査チューブと、
１つまたは複数のヒートシンク部材を含む熱伝導性ヒートシンク経路であって、１つまたは複数のヒートシンク部材が、（ａ）前記光源バンクおよび前記画像処理回路のコンポーネントのうちの１つまたは複数と、（ｂ）前記熱伝導性ヒートシンク経路の露出部分を定める前記ハウジングの外部にある、検査者が把持する対象となる前記ハウジングの外部の位置との間に熱伝導性経路を形成する熱伝導性ヒートシンク経路と、
前記熱伝導性ヒートシンク経路の前記露出部分の温度を感知するように動作可能に配設した熱センサと
を備え、
前記熱センサの出力を示す温度に応じて、前記手持ちハウジングの内部を冷却するための１つまたは複数の冷却手続を開始することができるようになされた目視検査装置。
【請求項１５】
前記温度センサの出力がしきい値を超えるという判定に応じて、前記少なくとも１つの冷却手続を開始するようになされたことを特徴とする請求項１４記載の目視検査装置。